(57)【要約】【課題】従来の賃金のみを対象とした制度ではなく、賃金・賞与・福利厚生費用・退職金等の人件費、ならびに自社で働く他社からの派遣社員・出向社員・アルバイト雇用者・請負業者等の労務費等を、すべてポイントで一元管理することにより省力化が図れる、自社の人件費と労務費の移行を的確かつ迅速におこなえるポイント制賃金額決定システムの提供。【解決手段】本発明では、個人別人件費ならびに費用項目別労務費の実額をサイト情報有人ナビゲーションセンター機能を付加したインターネット上のポイント制賃金額決定システム専用のアプリケーションサービスプロバイダーサイトを利用することにより、迅速に月次賃金額・賞与金額・退職金額・福利厚生費用金額、および派遣社員・出向社員・アルバイト雇用者・請負業者等の労務費等の支払い金額実額算出を的確かつ迅速に図る。【選択図】図１
2004157957.tif 000002
【特許請求の範囲】
【請求項１】
インターネット上において、本サイト情報有人ナビゲーションセンター機能付きポイント制賃金額決定システム専用アプリケーションサービスプロバイダーサイトにアクセスしたユーザーが、電話・ファックス・電子メール・ＩＰ電話の通信手段に対応した当サイト固有のサイト情報有人ナビゲーションセンターでの、ユーザーに対するリアルなナビゲーションを以ってユーザー・事業所情報の的確で迅速な提供を図るサイト情報有人ナビゲーションセンター機能付きポイント制賃金額決定システム専用アプリケーションサービスプロバイダーサイトシステムの提供。
【請求項２】
前記、本サイト情報有人ナビゲーションセンター機能付きポイント制賃金額決定システム専用アプリケーションサービスプロバイダーサイトにアクセスしたユーザーが的確で迅速なポイント制賃金額決定システムサービスを利用できるサイト情報有人ナビゲーションセンター機能付きポイント制賃金額決定システム専用アプリケーションサービスプロバイダーサイトの提供。
【請求項３】
前記、本サイト情報有人ナビゲーションセンター機能付きポイント制賃金額決定システム専用アプリケーションサービスプロバイダーサイトサービスのユーザー情報の集積加工によって、ユーザーの利便に供するための月次賃金金額・賞与金額・福利厚生費用・退職金金額等の人件費、またアルバイト人員経費・派遣社員費用・外注経費費用等労務費の、世間一般の事業所の人件費および労務費用情報の提供を図るサイト情報有人ナビゲーションセンター機能付きポイント制賃金額決定システム専用アプリケーションサービスプロバイダーサイトの提供。
【発明の詳細な説明】
【０００１】
【発明の属する技術分野】この発明は、サイト情報有人ナビゲーションセンター機能付きポイント制賃金額決定システム専用アプリケーションサービスプロバイダーサイトに関するものである。
【０００２】
【従来の技術】従来、インターネットにおける賃金・労務費に関する必要情報の加工サービスや情報提供サービスは、すべてインターネット上でユーザーとサービスの提供者がやり取りを実施しており、サービスを提供するサイト固有のサイト情報有人ナビゲーションセンター機能はあらかじめ付加されていなかった。ユーザー・事業所の担当者が求める必要情報を的確かつ迅速に提供するためのリアルな人が介在する機能は一貫としてシステム内に保有していなかった
【０００３】
【発明が解決しようとする課題】本発明においては、インターネット上において、サイト情報有人ナビゲーションセンター機能付きポイント制賃金額決定システム専用アプリケーションサービスプロバイダーサイトを実現する。
【０００４】
【課題を解決する為の手段】そこで本発明では、サイト情報有人ナビゲーションセンター機能付きのインターネット上のポイント制賃金額算出システム専用のアプリケーションサービスプロバイダーサイトを運営し、本システムを利用するユーザー・事業所の月次賃金・賞与金額・退職金・福利厚生金額やアルバイト雇用者・派遣社員・他社からの出向社員費用・請負業者等の労務費用実額情報の、簡便で迅速な情報提供を図る。本サイト情報有人ナビゲーションセンター機能付きポイント制賃金額決定システム専用アプリケーションサービスプロバイダーサイト利用のユーザーは、インターネット電話回線に接続する事業所の普及型インターネットブラウザーを使用するパソコンから、本発明であるサイト情報有人ナビゲーションセンター機能を保有するインターネット上のポイント制賃金額算出システム専用のアプリケーションサービスプロバイダーサイトにアクセスする。アクセスしたユーザーはあらかじめ付与されたＩＤ番号とパスワードを画面に表示された指示に従い入力する。ユーザーは本サイト内の画面での指示内容が充分理解できない場合や的確な操作を間違いなく実施したい時にサイト情報有人ナビゲーションセンター機能を利用する。サイト情報有人ナビゲーションセンターは、ユーザーからの一般電話・ファックス・電子メール・ＩＰ電話の通信手段を使った利用に対応する。ユーザーはユーザー画面上に表示された案内に従いユーザーが求める処理サービス項目を選択する。この際本システムのユーザー識別機能によって、未登録ユーザーはユーザー画面までアクセスできない。一般事業所・ユーザーは、自分が利用するサービス項目を選択後、画面指示に従い必要な当該データを送信する。送信された当該データは本システム内のポイント制賃金額算出システムによって、所定の一定算式により加工され個人別の月次賃金実額に対応したポイント点数が算出される。このポイント点数は特定実額除することの１０００円で求める。この時のポイント点数を基本ポイント点数とする。ユーザーの選択した必要なサービス処理項目毎の基本ポイント点数情報が本サイト情報有人ナビゲーションセンター機能付きポイント制賃金額決定システム専用アプリケーションサービスプロバイダーサイトを利用する事で迅速に得られる。個人別月次賃金ポイント基本点数・賞与金額ポイント基本点数・退職金ポイント基本点数・福利厚生金額ポイント基本点数等である。同様にアルバイト・派遣社員・他社からの出向社員費用等の労務費用実額情報を送信入力することによって各々の費用項目別のポイント基本点数がもとめられる。これら基本ポイント点数の事業所毎のデータが、以後の本システム利用時の基礎データとなる。基礎データを持つ本システム利用の事業所・ユーザーは本サイトサービス利用開始時点に算出した基本ポイント点数をサービス利用時に用いることによって、従来の煩雑で複雑な月次賃金金額や賞与金額の査定時と決定時、また派遣社員・他社からの出向社員費用等の労務費用実額の決定時等において迅速に自社・自事業所の人件費や労務費の実額金額情報を得ることができる。また、本サイトのシステム利用の事業所・ユーザーの許諾を得た上で、このユーザーからの情報の集積加工と情報提供によって、月次賃金金額や賞与金額・福利厚生費用・退職金金額等の人件費、またアルバイト人員経費・派遣社員費用・外注経費費用等の労務費の、利用ユーザーのためのその時点での世間一般の事業所の人件費および労務費用情報の的確で迅速な情報提供を図ることができる。
【０００５】
【発明の実施の形態】本発明は、サイト情報有人ナビゲーションセンター機能付きのインターネット上のポイント制賃金額算出システム専用のアプリケーションサービスプロバイダーにおいて、本システムを利用する事業所の月次賃金・賞与金額・退職金・福利厚生金額やアルバイト・派遣社員・他社からの出向社員費用等の労務費用実額情報の、簡便で迅速な提供をする為のシステム関するものである。以下図面に基づき実施例を詳述する。インターネット上のポイント制賃金額算出システム専用のアプリケーションサービスプロバイダーを利用する一般事業所・ユーザー（３）が、本システムサイト（１）にインターネット（２）でアクセスし、あらかじめ付与されたＩＤ番号と登録したパスワードを入力しユーザー画面を呼び出す。ユーザー画面上に表示された案内に従いユーザーが求める処理サービス項目を選択する。この際、本システムのユーザー識別機能によって、未登録ユーザーはユーザー画面までアクセスできない。一般事業所・ユーザー（３）は、自分が利用するサービス項目を選択後、画面指示に従い当該データを送信する。送信された当該データは本システム内のポイント制賃金額算出システムによって、所定の一定算式により個人別の月次賃金実額に対応したポイント点数が算出される。このポイント点数は特定実額除することの１０００円で求める。このポイント点数を基本ポイント点数とする。つまり個人別月次賃金ポイント基本点数・賞与金額ポイント基本点数・退職金ポイント基本点数・福利厚生金額ポイント基本点数がもとめられる。同様にアルバイト・派遣社員・他社からの出向社員費用等の労務費用実額情報を入力送信することによって各々の費用項目別のポイント基本点数がもとめられる。これら基本ポイント点数の事業所毎のデータが、以後の本システム利用時の基礎データとなる。基礎データを持つ本システム利用の事業所・ユーザー（３）はサービス利用開始時点に算出した基本ポイント点数を用いることによって、従来の煩雑で複雑な月次賃金金額や賞与金額の査定時と決定時、また派遣社員・他社からの出向社員費用等の労務費用実額の決定時等に迅速に実額金額情報を得ることができる。また、本システム利用の事業所・ユーザー（３）はサイト情報有人ナビゲーションセンター（４）機能を公衆電話回線網を通じて電話（２０）およびファックス（２１）を用いて利用することによって、より的確で迅速な必要情報を得ることができる。
【０００６】
【発明の効果】以上、本発明であるサイト情報有人ナビゲーションセンター機能付きのインターネット上のポイント制賃金額算出システム専用のアプリケーションサービスプロバイダーサイトの運営によって、本システムを利用するユーザー・事業所の月次賃金・賞与金額・退職金・福利厚生金額やアルバイト雇用者・派遣社員・他社からの出向社員費用・請負業者等の労務費用実額情報の、簡便で迅速な情報提供を図れる。また、本サイトシステム利用の事業所・ユーザーの許諾を得た上で、このユーザーからの情報の集積加工と情報提供によって、月次賃金金額や賞与金額・福利厚生費用・退職金金額等の人件費、またアルバイト人員経費・派遣社員費用・外注経費費用等の労務費の、利用ユーザーのためのその時点での世間一般の事業所の人件費および労務費用情報の的確で迅速な情報提供を図ることができる。本発明の利用により人件費と労務費のポイント化による一元的な管理によって従来の煩雑で複雑な関連業務の省力化が促進される。更に項目別の基本ポイント点数の活用によって、通貨の異なる国・地域間においても円滑な管理が実施できる。
【図面の簡単な説明】
【図１】本発明のサイト情報有人ナビゲーションセンター機能付きポイント制賃金額決定システム専用アプリケーションプロバイダーサイトの構成例を示すブロック図である。
【図２】本発明のサイト情報有人ナビゲーションセンター機能付きポイント制賃金額決定システム専用アプリケーションプロバイダーサイトを利用するユーザーのパソコンディスプレイ上に順次表示される画面概略図である。本発明のシステム図
【符号の説明】
１  サーバー
２  通信ネットワーク
３  ユーザー端末
４  サイト情報有人ナビゲーションセンター
５  ユーザー企業情報ＤＢ
６  ユーザー別個人賃金実額情報ＤＢ
７  ユーザー別個人ポイント点数情報ＤＢ
８  フリーワード検索手段
９  ユーザー企業情報検索手段
１０  一般賃金情報検索手段
１１  ユーザー別個人賃金情報検索手段
１２  ユーザー別個人ポイント点数情報検索手段
１３  ポイント点数算出手段
１４  労務費用実額情報検索手段
１５  個人別退職金情報算出手段
１６  選択情報発行手段
１７  サービス項目選択手段
１８  総合案内手段
１９  ユーザー識別手段
２０  電話端末
２１  ＦＡＸ端末
２２  公衆電話回線網
【図１】
2004157957.tif 000003
【図２】
2004157957.tif 000004